(57)【要約】【課題】  送風路が閉塞され本体内が低温状態から運転開始しても異常高温まで機内温度が達するのを防止できる温風暖房機を提供する。【解決手段】  室内から給気した空気と燃焼ガスとを熱交換器１１で熱交換して温風として吹き出す温風暖房機で、運転を開始する時、本体内の温度が所定温度より低い状態では異常判定温度を低温に設定するので、送風路が閉塞され本体内の温度が低い状態で運転開始しても、急激に本体内の温度が上昇して本体内温度が異常過熱判定温度以上になって異常過熱と判断して運転を停止した後、本体内の温度がその後も上昇してオーバーシュートしても異常高温まで本体内の温度が上昇せず、オーバーシュートにより温風暖房機の本体表面が高温になってしまったり、本体内の部品や基板が高温により損傷したり寿命が短くなるのを防止できるものである。【選択図】  図４
2015096777.tif 000002
【特許請求の範囲】
【請求項１】
燃焼用空気を送風する燃焼用送風機と、燃料を送る燃料供給手段と、前記燃焼用送風機からの燃焼用空気と燃料供給手段からの燃料を混合して燃焼するバーナ部と外筒とからなる燃焼部と、前記燃焼部からの燃焼ガスが熱交換パイプの中を通過する熱交換器と、屋外の空気を給気すると共に燃焼ガスを屋外に排気する給排気筒と、室内の空気を熱交換器に送風する対流用送風機と、本体内の温度を検知する異常過熱検知手段とを備え、室内から給気した空気と燃焼ガスとを熱交換器で熱交換して本体の吹き出し口から温風として吹き出すと共に、異常過熱検知手段が検知する本体温度が異常過熱判定温度以上になった時、異常過熱と判断して燃焼部を消火して運転を停止する温風暖房機に於いて、燃焼部を着火して運転を開始する時、前記異常過熱検知手段が検知する本体内の温度が所定温度以下の場合、異常過熱判定温度を通常より低い温度に設定することを特徴とする温風暖房機
【請求項２】
燃焼用空気を送風する燃焼用送風機と、燃料を送る燃料供給手段と、前記燃焼用送風機からの燃焼用空気と燃料供給手段からの燃料を混合して燃焼するバーナ部と外筒とからなる燃焼部と、前記燃焼部からの燃焼ガスが熱交換パイプの中を通過する熱交換器と、屋外の空気を給気すると共に燃焼ガスを屋外に排気する給排気筒と、室内の空気を熱交換器に送風する対流用送風機と、本体内の温度を検知する異常過熱検知手段とを備え、室内から給気した空気と燃焼ガスとを熱交換器で熱交換して本体の吹き出し口から温風として吹き出すと共に、異常過熱検知手段が検知する本体温度が異常過熱判定温度以上になった時、異常過熱と判断して燃焼部を消火して運転を停止する温風暖房機に於いて、燃焼部を着火して運転を開始する時、前記異常過熱検知手段が検知する本体内の温度が所定温度以下の場合、異常過熱判定温度を通常時より低い温度に所定時間設定し、所定時間経過後通常時の異常過熱判定温度に戻すことを特徴とする温風暖房機
【発明の詳細な説明】
【技術分野】
【０００１】
本発明は、燃焼による排気ガスと室内空気とを熱交換して暖房を行う通称ＦＦ式と言われる温風暖房機に関するものである。
【背景技術】
【０００２】
従来、この種のものに於いては、流入空気量不足による器具の本体内の異常温度上昇を、本体内の温度を検知するサーミスタを用いて早期に検知し、器具の異常温度過熱を防止するものがあった。（例えば特許文献１参照）
【先行技術文献】
【特許文献】
【０００３】
【特許文献１】特開平０６−１２３４２５号公報
【発明の概要】
【発明が解決しようとする課題】
【０００４】
ところで、この従来のものでは、例えば対流ファンの空気取り入れ口に設けたフィルターに徐々にほこり等が付着して流入空気量が徐々に不足して本体内の温度が上昇し、ほこり等の付着が所定のレベルに達した時点で本体内の温度が異常判定温度に達して運転が停止されるが、この場合、異常判定温度に達するまでの温度変化は緩やかに上昇し、異常判定温度に達して運転が停止された後の本体内の温度は、異常判定温度より１０〜２０℃高い温度までオーバーシュートした後に低下していくものである。
【０００５】
しかし、対流ファンの空気取り入れ口や温風の吹き出し口の全面が何かにより閉塞されている場合、本体内の温度が低い状態で運転スイッチをオン操作すると、室温が低いと判断して火力を大きくして運転を開始するため、運転開始から本体内の温度が急激に上昇し、本体内の温度が異常判定温度に達して運転が停止された後の本体内の温度は、異常判定温度より５０℃以上高い温度までオーバーシュートしてしまい、温風暖房機の本体表面が高温になってしまったり、本体内の部品や基板が高温により損傷したり寿命が短くなってしまう課題があった。
【課題を解決するための手段】
【０００６】
上記課題を解決するために、本発明の請求項１では、燃焼用空気を送風する燃焼用送風機と、燃料を送る燃料供給手段と、前記燃焼用送風機からの燃焼用空気と燃料供給手段からの燃料を混合して燃焼するバーナ部と外筒とからなる燃焼部と、前記燃焼部からの燃焼ガスが熱交換パイプの中を通過する熱交換器と、屋外の空気を給気すると共に燃焼ガスを屋外に排気する給排気筒と、室内の空気を熱交換器に送風する対流用送風機と、本体内の温度を検知する異常過熱検知手段とを備え、室内から給気した空気と燃焼ガスとを熱交換器で熱交換して本体の吹き出し口から温風として吹き出すと共に、異常過熱検知手段が検知する本体温度が異常過熱判定温度以上になった時、異常過熱と判断して燃焼部を消火して運転を停止する温風暖房機に於いて、燃焼部を着火して運転を開始する時、前記異常過熱検知手段が検知する本体内の温度が所定温度以下の場合、異常過熱判定温度を通常より低い温度に設定するものである。
【０００７】
また、請求項２では、燃焼用空気を送風する燃焼用送風機と、燃料を送る燃料供給手段と、前記燃焼用送風機からの燃焼用空気と燃料供給手段からの燃料を混合して燃焼するバーナ部と外筒とからなる燃焼部と、前記燃焼部からの燃焼ガスが熱交換パイプの中を通過する熱交換器と、屋外の空気を給気すると共に燃焼ガスを屋外に排気する給排気筒と、室内の空気を熱交換器に送風する対流用送風機と、本体内の温度を検知する異常過熱検知手段とを備え、室内から給気した空気と燃焼ガスとを熱交換器で熱交換して本体の吹き出し口から温風として吹き出すと共に、異常過熱検知手段が検知する本体温度が異常過熱判定温度以上になった時、異常過熱と判断して燃焼部を消火して運転を停止する温風暖房機に於いて、燃焼部を着火して運転を開始する時、前記異常過熱検知手段が検知する本体内の温度が所定温度以下の場合、異常過熱判定温度を通常時より低い温度に所定時間設定し、所定時間経過後通常時の異常過熱判定温度に戻すものである。
【発明の効果】
【０００８】
この発明の請求項１によれば、燃焼部を着火して運転を開始する時、前記異常過熱検知手段が検知する本体内の温度が所定温度以下の場合、異常過熱判定温度を通常より低い温度に設定するので、本体背面にタオルがかかったり、本体正面に物が置かれたりして送風路や前面中央の吹き出し口がほとんど又は完全に閉塞されている状態で、本体内の温度が所定温度より低い状態のため火力を大きくして運転を開始しても、急激に本体内の温度が上昇して本体内温度が異常過熱判定温度以上になって異常過熱と判断して運転を停止した後、本体内の温度がその後も上昇してオーバーシュートしても異常高温まで本体内の温度が上昇せず、オーバーシュートにより温風暖房機の本体表面が高温になってしまったり、本体内の部品や基板が高温により損傷したり寿命が短くなるのを防止できるものである。
【０００９】
また、請求項２によれば、燃焼部を着火して運転を開始する時、前記異常過熱検知手段が検知する本体内の温度が所定温度以下の場合、異常過熱判定温度を通常時より低い温度に所定時間設定し、所定時間経過後通常時の異常過熱判定温度に戻すので、運転開始時の本体内の温度のオーバーシュートによる異常過熱がなければ、そのまま運転を継続しつつ通常の異常過熱判定を行えるものである。
【図面の簡単な説明】
【００１０】
【図１】この発明の一実施例を付した温風暖房機の斜視図。
【図２】同断面図。
【図３】同ブロック図。
【図４】同運転開始時のフローチャート図。
【発明を実施するための形態】
【００１１】
次にこの発明に係る温風暖房機を図面に示す一実施例で説明する。
１は温風暖房機本体で、前面中央から下部にかけて温風を吹き出す吹き出し口２を設けると共に、本体上面に運転スイッチ３や温度設定スイッチ（図示せず）等の複数のボタンを有する操作部４が設けられると共に、本体正面上部に温度や時間を表示する表示部５とが設けられ、又背面には屋外の空気を温風暖房機に給気するための給気部（図示せず）と温風暖房機の排気ガスを屋外に排気するための排気部（図示せず）とからなる給排気筒（図示せず）が接続されているものである。
【００１２】
６は燃焼部で、燃料供給手段（図示せず）である燃料ポンプから送られてきた灯油と燃焼用送風機（図示せず）から送られてくる燃焼用空気を点火装置（図示せず）にて着火することにより燃焼をするバーナ部７と、該バーナ部７の燃焼ガスを排気ガスとして導く外筒８とからなるものである。
【００１３】
９は箱状の排気室で、下部に外筒８が取り付けられ、内部には外筒８から流入する排気ガスを迂回させて通過させるための迂回板（図示せず）を設けたものであり、又その上面には中心部分から端にむかって低くなるような傾斜部１０が、中心部分から温風暖房機本体１の前面方向と中心部分から温風暖房機本体１の背面方向に設けられているものである。
【００１４】
１１は熱交換器で、排気室９の上方に設けられ、排気室９からの排気ガスが流入する箱状の流入部１２と、略パイプ状で一端が流入部１２に接続され、流入部１２からの排気ガスが内部を通過する複数の熱交換パイプ１３と、該熱交換パイプ１３の他端が接続されると共に屋外と連通している給排気筒（図示せず）の排気部（図示せず）と接続され、熱交換パイプ１３内を通過した排気ガスを排気部に案内する箱状の流出部（図示せず）とからなるものである。
【００１５】
１４はプロペラファンからなる対流用送風機で、熱交換器１１の後方に設けられ、対流用モータ１５により駆動されることにより、室内の空気を吸い込んで下方向に送風するものである。
【００１６】
１６はサーミスタからなる異常過熱検知手段で、熱交換器１１の上方に設けられた遮熱板１７に取り付けられ、この遮熱板１７の温度を検知することで本体内の温度を検知するものである。
【００１７】
１８は制御部で、室内温度が設定温度になるように温風暖房運転を制御するものである。
１９はタイマーで、制御部１８からの計時開始信号及び計時停止信号により時間を計時するものである。
【００１８】
次に本発明一実施例の動作について説明する。
まず内蔵されているヒータ（図示せず）に通電してバーナ部７が所定の温度に上昇すると、燃料ポンプから灯油がバーナ部７に送られて気化し、又バーナ部７に燃焼用送風機から燃焼用空気が送られ、気化した灯油と燃焼用空気が混合され、点火装置（図示せず）により着火されて燃焼を開始する。
【００１９】
燃焼ガスは排気ガスとしてバーナ部７から外筒８内を通過して上昇し、排気室９内の迂回板に案内されて排気室９内を迂回して通過し、熱交換器１１の流入部１２から熱交換パイプ１３内を通過し、流出部から給排気筒の排気部へと流れて屋外に排気されていくものである。
【００２０】
又バーナ部７で燃焼が開始されると、熱交換器１１後方に位置する対流用送風機１４が駆動されて、室内の空気を温風暖房機本体１内に給気し、その給気された室内の空気は、対流用送風機１４から前方に送風され、熱交換器１１の熱交換パイプ１３の外周を通過して熱交換して加熱された後、温風暖房機本体１前面の吹き出し口２から室内に温風として吹き出すものである。
【００２１】
次に運転開始時の制御について図４に示したフローチャート図にて説明する。
まず運転スイッチ３がＯＮ操作されると（Ｓ１）、制御部１８は内蔵されているヒータに通電してバーナ部７が所定の温度に上昇すると、燃料ポンプから灯油がバーナ部７に送られて気化し、又バーナ部７に燃焼用送風機から燃焼用空気が送られ、気化した灯油と燃焼用空気が混合され、点火装置（図示せず）により着火されて燃焼を開始して暖房運転を開始する。（Ｓ２）
【００２２】
（Ｓ２）で暖房運転を開始する前に運転スイッチ３がＯＦＦ操作されると（Ｓ３）、制御部１８は燃焼を開始する動作を停止して運転停止して（Ｓ４）、（Ｓ１）に戻るものである。
【００２３】
又、（Ｓ２）で暖房運転が開始されると、制御部１８は異常過熱検知手段１６で検知する本体内温度が所定温度以下であるか否かを判定する。（Ｓ５）
本実施例では上記所定温度を３５℃に設定しており、異常過熱検知手段１６で検知する本体内温度が所定温度である３５℃以下の時、異常過熱判定温度を低温の８０℃に設定し（Ｓ６）、異常過熱検知手段１６で検知する本体内温度が所定温度である３５℃より高い時、異常過熱判定温度を高温の１１５℃に設定する。（Ｓ７）
【００２４】
（Ｓ６）で異常過熱判定温度を低温の８０℃に設定した後、制御部１８は次にタイマー１９による計時を開始し（Ｓ８）、そして制御部１８は、（Ｓ８）でタイマー１９による計時を開始した後、異常過熱検知手段１６で検知する本体内温度が（Ｓ６）で設定した異常過熱判定温度の８０℃以上か否かを判定し（Ｓ９）、異常過熱検知手段１６で検知する本体内温度が８０℃以上になると、異常過熱と判断して（Ｓ１０）、運転を停止して（Ｓ１１）、表示部５に異常表示をするものである。（Ｓ１２）
【００２５】
又、（Ｓ９）で、異常過熱検知手段１６で検知する本体内温度が異常過熱判定温度の８０℃未満の時は、タイマー１９による計時が所定時間、本実施例では６分間を経過したかを判定し（Ｓ１３）、タイマー１９による計時が所定時間を経過した時、タイマー１９による計時を停止し（Ｓ１４）、（Ｓ７）へ進むものである。
【００２６】
又、（Ｓ１３）で、タイマー１９による計時が所定時間を経過していない時は、運転スイッチ３がＯＦＦ操作されたかを確認し（Ｓ１５）、運転スイッチ３がＯＦＦ操作されれば（Ｓ４）へ進み、運転スイッチ３がＯＦＦ操作されていなければ（Ｓ９）に戻るものである。
【００２７】
又、（Ｓ７）で、異常過熱判定温度を高温の１１５℃に設定された後、制御部１８は異常過熱検知手段１６で検知する本体内温度が（Ｓ７）で設定した異常過熱判定温度の１１５℃以上か否かを判定し（Ｓ１６）、異常過熱検知手段１６で検知する本体内温度が１１５℃以上になると（Ｓ１０）へ進み、異常過熱検知手段１６で検知する本体内温度が異常過熱判定温度の１１５℃未満の時は、運転スイッチ３がＯＦＦ操作されたかを確認し（Ｓ１７）、運転スイッチ３がＯＦＦ操作されれば（Ｓ４）へ進み、運転スイッチ３がＯＦＦ操作されていなければ（Ｓ１６）に戻るものである。
【００２８】
これにより、例えば本体背面にタオルがかかったり、本体正面に物が置かれたりして送風路や前面中央の吹き出し口２がほとんど又は完全に閉塞状態になっている場合、本体内の温度が所定温度より低い状態で運転スイッチをオン操作すると、制御部１８は室温が低いと判断して火力を大きくして運転を開始するが、本体内の温度が所定温度より低い状態では異常判定温度を低温に設定しているため、急激に本体内の温度が上昇して本体内温度が異常過熱判定温度以上になって異常過熱と判断して運転を停止した後、本体内の温度がその後も上昇してオーバーシュートしても異常高温まで本体内の温度が上昇せず、オーバーシュートにより温風暖房機の本体表面が高温になってしまったり、本体内の部品や基板が高温
により損傷したり寿命が短くなるのを防止できるものである。
【００２９】
又、運転開始時に本体内の温度が所定温度以下の時は、異常過熱判定温度を低温に設定するが、その低温に設定してから所定時間経過したら通常の異常過熱判定温度である高温に設定するので、運転開始時の本体内の温度のオーバーシュートによる異常過熱がなければ、そのまま運転を継続しつつ通常の異常過熱判定を行えるものである。
【符号の説明】
【００３０】
２  吹き出し口
６  燃焼部
７  バーナ部
８  外筒
１１  熱交換器
１３  熱交換パイプ
１４  対流用送風機
１６  異常過熱検知手段
【図１】
2015096777.tif 000003
【図２】
2015096777.tif 000004
【図３】
2015096777.tif 000005
【図４】
2015096777.tif 000006